(57)【特許請求の範囲】
【請求項１】
基板支持手段により着脱可能に支持された基板を備えた
遊技機において、
前記基板支持手段は、前記基板をその両端部において板面に沿う挿脱方向に挿脱自在に支持する挿脱支持手段と、前記基板を前記挿脱支持手段に支持された状態に保持する保持手段とを備え、
前記基板支持手段に、ケーブルを案内するケーブル案内手段を設け、
前記保持手段により前記ケーブルを前記ケーブル案内手段により案内された状態に保持する
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機には、ＬＥＤを備えた発光基板、その他の基板が多数装着されている。それら各基板は、それぞれ所定の基板支持手段により着脱可能に支持されており、またその基板から引き出されるケーブルは、基板支持手段とは別のケーブル支持手段によって支持され、所定経路に沿って配設されている（例えば特許文献１参照）。
【先行技術文献】
【特許文献】
【０００３】
【特許文献１】特許第５３８８８１３号公報
【発明の概要】
【発明が解決しようとする課題】
【０００４】
従来のように、ケーブルを全て専用のケーブル支持手段で支持する場合、ケーブルだけでなくケーブル支持手段を配置するための十分なスペースが必要となり、また部品点数の増加等によりコスト高となる問題があった。
本発明は上記事情に鑑みてなされたものであり、コストを抑えつつ限られたスペースでケーブルを支持することが可能な遊技機を提供することを目的とする。
【課題を解決するための手段】
【０００５】
本発明は、基板支持手段８３ａ，８３ｂにより着脱可能に支持された基板８２ａ，８２ｂを備えた遊技機において、前記基板支持手段８３ａ，８３ｂは、前記基板８２ａ，８２ｂをその両端部において板面に沿う挿脱方向に挿脱自在に支持する挿脱支持手段８６と、前記基板８２ａ，８２ｂを前記挿脱支持手段８６に支持された状態に保持する保持手段８８とを備え、前記基板支持手段８３ａ，８３ｂに、ケーブル９２ａを案内するケーブル案内手段９１を設け、前記保持手段８８により前記ケーブル９２ａを前記ケーブル案内手段９１により案内された状態に保持するものである。
また、前記基板８２ａ，８２ｂの一面側に沿って前記ケーブル９２ａを配設し、前記ケーブル案内手段９１は前記ケーブル９２ａを前記一面側における所定位置に案内するように構成してもよい。この場合、前記基板支持手段８３ａ，８３ｂは、前記基板８２ａ，８２ｂにおける所定方向の一端側から他端側に向けて形成される少なくとも一つの支持部材８６，８７ｂを備え、前記支持部材８６，８７ｂの前記他端側の端部を前記ケーブル案内手段９１としてもよい。
前記基板支持手段８３ａ，８３ｂは前記基板８２ａ，８２ｂを該基板８２ａ，８２ｂが取り付けられる壁面４１に沿って支持し、前記ケーブル９２ａを前記基板８２ａ，８２ｂと前記壁面４１との間の隙間内に配設し、前記ケーブル案内手段９１は、前記ケーブル９２ａを前記隙間内の前記所定位置に案内するように構成してもよい。なお、前記基板８２ａ，８２ｂの前記一面側には配線パターン８５ａを設けないことが望ましい。
また、前記挿脱支持手段８６に前記ケーブル案内手段９１を設けてもよい。
また、前記保持手段８８を、ネジ固定部８９に着脱可能なネジ部材８８により構成し、前記ネジ固定部８９を前記挿脱支持手段８６に一体に設けてもよい。この場合、前記ネジ部材８８の頭部８８ａ側に、前記ネジ固定部８９の外側に張り出す鍔部８８ｂを設け、前記鍔部８８ｂにより前記基板８２ａ，８２ｂ及び前記ケーブル９２ａの前記挿脱方向への移動を阻止するように構成してもよい。
また、前記基板８２ａ，８２ｂはフレキシブル基板であり、前記基板支持手段８３ａ，８３ｂは、前記基板８２ａ，８２ｂを所定の曲面形状となるように案内する案内支持手段８７を備えた構成としてもよい。
【発明の効果】
【０００６】
本発明によれば、コストを抑えつつ限られたスペースでケーブルを支持することが可能となる。
【図面の簡単な説明】
【０００７】
【図１】本発明の第１の実施形態に係るパチンコ機の全体斜視図である。
【図２】同パチンコ機の平面断面図である。
【図３】同パチンコ機の遊技盤の正面図である。
【図４】同パチンコ機の側面断面図である。
【図５】同パチンコ機の平面断面図である。
【図６】同パチンコ機の中央表示枠の背面図である。
【図７】同パチンコ機の中央表示枠の分解斜視図である。
【図８】同パチンコ機の中央表示枠の分解斜視図である。
【図９】同パチンコ機の中央表示枠の平面断面図（ａ）及び背面図（ｂ）である。
【図１０】同パチンコ機の中央表示枠の平面断面図（ａ）及び背面図（ｂ）である。
【図１１】同パチンコ機の中央表示枠の下部発光基板に沿った断面図である。
【図１２】同パチンコ機の発光演出手段の断面図である。
【図１３】同パチンコ機の中央表示枠の底面断面図である。
【図１４】同パチンコ機の中央表示枠の分解斜視図である。
【図１５】同パチンコ機の中央表示枠の背面図（ａ）及び底面断面図（ｂ）である。
【図１６】同パチンコ機の中央表示枠の背面図（ａ）及び底面断面図（ｂ）である。
【図１７】同パチンコ機の中央表示枠の上部発光基板に沿った断面図である。
【図１８】同パチンコ機の中央表示枠の拡大背面図である。
【図１９】同パチンコ機の中央表示枠の拡大背面図である。
【図２０】本発明の第２の実施形態に係るパチンコ機の中央表示枠の背面図である。
【図２１】同パチンコ機の中央表示枠の上部発光基板に沿った断面図である。
【図２２】本発明の第３の実施形態に係るパチンコ機の中央表示枠の底面断面図である。
【発明を実施するための形態】
【０００８】
以下、本発明の実施形態を図面に基づいて詳述する。図１〜図１９は本発明をパチンコ機に採用した第１の実施形態を例示している。図１，図２において、遊技機本体１は、矩形状の外枠２と、この外枠２の前側にヒンジ３により縦軸廻りに開閉自在に枢着された前枠４とを備えている。
【０００９】
前枠４は上部側に遊技盤装着部４ａを有し、その遊技盤装着部４ａに遊技盤５が例えば前側から着脱自在に装着されている。また、前枠４の前側には、遊技盤５の前側に対応する第１前扉６と、この第１前扉６の下側に配置された第２前扉７とが、ヒンジ３と略同一軸心上のヒンジ８により縦軸廻りに開閉自在に枢支されている。なお、第１前扉６と第２前扉７とを一体にして、一つの前扉とすることも可能である。
【００１０】
第２前扉７の前側には発射用の遊技球を貯留する球貯留皿９が配置され、その側方に遊技球を発射する発射手段（図示省略）を作動させるための発射ハンドル１０が設けられている。第１前扉６は遊技盤５の遊技領域１１（図３参照）に対応する開口状の透視窓１２と、透視窓１２を透視可能に塞ぐガラスユニット１３とを有する。ガラスユニット１３は、図２に示すように、前後２枚のガラス板１４と、それらガラス板１４の外周側を保持する保持枠１５とを備え、第１前扉６の後側に着脱自在に装着されている。
【００１１】
遊技盤５の前面には、図３に示すように、遊技領域１１を取り囲むガイドレール１６が設けられている。このガイドレール１６は、例えば３つの第１〜第３レール部材１７〜１９等により形成されている。第１レール部材１７は例えば金属製で、遊技盤５の下部左側から左縁部略中央、上縁部略中央を経て右上部まで正面視略円弧状に配置され、遊技盤５の前面側に略一定幅で立設されている。第２レール部材１８も例えば金属製で、遊技盤５の左上部から左下部にかけて第１レール部材１７の内側に並行するように略円弧状に配置され、遊技盤５の前面側に略一定幅で立設されている。
【００１２】
これら第１レール部材１７と第２レール部材１８とで挟まれた部分が、発射手段によって発射された遊技球を遊技領域１１に案内する発射案内通路２０となっている。また、第２レール部材１８の上端部には、遊技領域１１から発射案内通路２０への遊技球の戻りを防止するための戻り防止具２１が設けられている。
【００１３】
第３レール部材１９は例えば合成樹脂製で、第１レール部材１７の右上部側端部と第２レール部材１８の左下部側端部とを接続するように、遊技盤５の右縁部と下縁部とに沿う正面視略Ｌ字状で且つ前後方向略一定幅に形成され、遊技盤５の前面側に着脱自在に装着されている。なお、この第３レール部材１９の内側面１９ａがガイドレール１６の一部を構成している。
【００１４】
遊技領域１１には、中央表示枠２２、画像表示手段２３、普通図柄始動手段２４，２５、第１特別図柄始動手段２６、第２特別図柄始動手段２７、特別遊技用の開閉入賞手段２８、普通入賞手段２９、普通図柄表示手段３０、第１特別図柄表示手段３１、第２特別図柄表示手段３２等が配置されている。
【００１５】
中央表示枠２２は、遊技領域１１の左右方向略中央における上部側に配置され、遊技盤５に形成された開口部３３（図２等）に対応して前側から装着されている。この中央表示枠２２の左右両側の遊技領域１１には夫々左側通路３４と右側通路３５とが形成されており、発射案内通路２０を経て遊技領域１１の上部に打ち込まれた遊技球は、中央表示枠２２の上端部で左右に振り分けられ、左側通路３４と右側通路３５との何れかを流下するようになっている。
【００１６】
中央表示枠２２は、図２〜図６等に示すように、開口部３３の縁部に略沿うように配置される本体枠３６と、この本体枠３６の前側に着脱自在に装着される前部材３７とを備えている。本体枠３６は、外周部が開口部３３の外側で遊技盤５の前面に当接する台板３９と、この台板３９の下部側を除く領域で台板３９から前側に突出する略門形状の前周壁部４０と、台板３９から裏側に突出して開口部３３の内周近傍に配置される補強壁部４１とを有し、台板３９が遊技盤５の前側にネジ等の固定具により固定されている。
【００１７】
前部材３７は、図２，図３等に示すように例えば本体枠３６の左右両側に対応してその内側に配置されており、前周壁部４０の前側に装着された前飾り板４２と、その前飾り板４２等の内周から後方に屈曲して画像表示手段２３の左右近傍に至る内周壁４３とを有する。中央表示枠２２の前側には、図３に示すように例えば前飾り板４２の適宜箇所に普通図柄表示手段３０、第１特別図柄表示手段３１、第２特別図柄表示手段３２等の表示手段が設けられている。また、前部材３７の後側には、普通図柄表示手段３０、第１特別図柄表示手段３１、第２特別図柄表示手段３２、ＬＥＤ３８ａ等が装着された基板３８が配置されている。
【００１８】
なお、本体枠３６、前部材３７は光透過性を有する透明又は半透明の合成樹脂材料により成型され、必要に応じてメッキ、シール材等の遮光手段により装飾部、遮光部が形成されている。また、台板３９は外周部が遊技盤５の前面に当接する等、少なくとも一部が遊技盤５の前面に当接すればよく、略全周が遊技盤５の前面に当接してもよい。また、補強壁部４１は台板３９における周方向の全周に設けてもよいし、一部に設けてもよい。
【００１９】
画像表示手段２３は、図２，図４等に示すように遊技盤５の裏側に配置された液晶式等のパネル状の画像表示部２３ａを有し、この画像表示部２３ａは後構造体４４を介して遊技盤５の裏側に装着されている。
【００２０】
普通図柄始動手段２４，２５は、例えば通過する遊技球を検出可能な通過ゲート式で、例えば左側通路３４及び右側通路３５に対応して中央表示枠２２の左右両側に配置されており、台板３９から各通路３４，３５側に突出する支持板４５，４６に装着されている。第１特別図柄始動手段２６、第２特別図柄始動手段２７は、中央表示枠２２の下側でアウト口４７の上側に配置されている。これら特別図柄始動手段２６，２７の左側には複数個、例えば３個の普通入賞手段２９が配置され、右側には開閉入賞手段２８が配置されている。
【００２１】
普通図柄表示手段３０は、普通図柄を変動表示するためのもので、複数個の普通図柄（例えば「○」「×」の２種類）に対応する複数個の発光体（例えばＬＥＤ）を備え、普通図柄始動手段２４，２５の何れかが遊技球を検出することに基づいてそれら複数の発光体が所定順序で発光するように点滅して、普通図柄始動手段２４，２５による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。なお、変動後の普通図柄は１／１０程度の所定の確率で当たり態様となり、普通利益状態が発生する。
【００２２】
第１特別図柄表示手段３１、第２特別図柄表示手段３２は発光部位の変化等により第１特別図柄、第２特別図柄を変動表示可能なセグメント式等の表示手段により構成されており、第１特別図柄表示手段３１は第１特別図柄始動手段２６が、第２特別図柄表示手段３２は第２特別図柄始動手段２７が夫々遊技球を検出することを条件に、第１特別図柄、第２特別図柄を所定時間変動させ、第１特別図柄始動手段２６、第２特別図柄始動手段２７の遊技球の検出時に取得された特別乱数情報に含まれる大当たり判定乱数値が予め定められた大当たり判定値と一致する場合には所定の大当たり態様（特定態様）で、それ以外の場合には外れ態様で停止するようになっている。
【００２３】
なお、変動後の第１特別図柄、第２特別図柄は、通常確率状態中は１／３５０等の通常確率で大当たり態様となり、特別利益状態が発生する。特別利益状態終了後には例えば所定の確率で高確率状態となり、第１特別図柄、第２特別図柄は１／３５等、通常確率よりも高確率で大当たり態様となる。また、第１特別図柄、第２特別図柄は、例えば一方が変動中の場合には他方は変動せず、特別利益状態中は何れも変動しない。また、各特別図柄の始動検出は所定の上限数（例えば４）まで保留可能であり、両方に１以上の保留がある場合には、第２特別図柄表示手段３２の図柄変動が優先する。
【００２４】
画像表示手段２３は第１特別図柄表示手段３１、第２特別図柄表示手段３２に対応する演出図柄表示手段４８等を構成するもので、第１特別図柄、第２特別図柄の変動時にその図柄変動に同期して変動する１個又は複数個、例えば３個の演出図柄４８ａ〜４８ｃを変動表示する。演出図柄４８ａ〜４８ｃは、第１特別図柄始動手段２６、第２特別図柄始動手段２７による遊技球の検出を条件に、抽選により決定された所定の演出図柄変動パターンに従って所定時間変動した後、第１特別図柄、第２特別図柄の変動終了と同期して所定の順序で順次停止する。
【００２５】
演出図柄４８ａ〜４８ｃの変動後の停止図柄は、第１特別図柄、第２特別図柄が大当たり態様で停止する場合には例えば全てが揃う演出大当たり態様となり、第１特別図柄、第２特別図柄が外れ態様で停止する場合には少なくとも一部が異なる演出外れ態様となる。なお、演出図柄４８ａ〜４８ｃには例えば０〜９までの数字図柄が使用される。
【００２６】
第１特別図柄始動手段２６は非開閉式で、中央表示枠２２の下側に上向き開口状の第１特別始動口２６ａを備え、この第１特別始動口２６ａに入賞した遊技球を検出可能に構成されている。この第１特別図柄始動手段２６は右側通路３５を流下する遊技球よりも左側通路３４を流下する遊技球の方が入賞し易くなっている。
【００２７】
第２特別図柄始動手段２７は、前向き開口状の第２特別始動口２７ａと、例えば下部側の横軸廻りに揺動することにより第２特別始動口２７ａを開閉可能な開閉部材２７ｂと、その開閉部材２７ｂの左右両側に配置された内向き傾斜状の案内部材２７ｃとを備えた開閉式で、例えば第１特別図柄始動手段２６の下側に配置されている。この第２特別図柄始動手段２７は、普通図柄表示手段３０の変動後の停止図柄が当たり態様で停止した場合に発生する普通利益状態において、開閉部材２７ｂが所定の開閉パターンに従って前側に開放して後ろ下がりの傾斜状となり、例えば案内部材２７ｃによってその開状態の開閉部材２７ｂ上に案内されてきた遊技球を後向きに案内して第２特別始動口２７ａに入賞させるようになっている。第２特別図柄始動手段２７の開閉パターンには、開放時間の短い通常パターン（例えば０．２秒×１回）と開放時間の長い延長パターン（例えば２秒×３回）とがあり、例えば通常確率状態中は通常パターンが、高確率状態中は延長パターンが夫々選択される。
【００２８】
開閉入賞手段２８は、例えば前向き開口状に形成された横長の可変入賞口２８ａと、例えば下部側の横軸廻りに揺動して可変入賞口２８ａを開閉可能な開閉板２８ｂとを備えた開閉式で、例えば中央表示枠２２の下側で普通図柄始動手段２５と第２特別図柄始動手段２７との間に配置されている。この開閉入賞手段２８は、変動後の第１特別図柄、第２特別図柄が大当たり態様で停止した場合に発生する特別利益状態において、開閉板２８ｂが所定の開放パターンに従って前側に開放して後ろ下がりの傾斜状となり、その開閉板２８ｂ上に落下してきた遊技球を後向きに案内して可変入賞口２８ａに入賞させるようになっている。
【００２９】
なお、開閉入賞手段２８の開放パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、それらの何れかが例えば抽選により選択される。
【００３０】
中央表示枠（所定部材）２２には、左右一側、例えば左側の前周壁部４０に、左側通路３４側に開口する入球口４９が設けられ、また画像表示手段２３の前側下部に区画部材５１、下部台板５２、ステージ５３、発光演出手段５４等が配置されている。
【００３１】
区画部材５１は、画像表示手段２３の前側を前後に区画して後側への遊技球の侵入を阻止するためのもので、図３〜図８に示すように、画像表示手段２３の下側で遊技盤５の前面側に配置され、補強壁部４１の内側に例えば一体に設けられている。この区画部材５１は例えば平板状で、その前面側が遊技盤５の前面側と略面一となる位置に配置されており（図４，図５参照）、例えば上縁部が画像表示手段２３の下縁部と略同じ高さとなっている。また、区画部材５１の後側には、図２，図４に示すように例えば可動演出手段５５が配置され、後構造体４４に着脱自在に固定されている。なお、区画部材５１はその全体が平板状である必要はなく、例えば上縁側を後向きに屈曲させる等、少なくとも一部に曲面部、屈折部等を設けてもよい。
【００３２】
区画部材５１の前面には、ステージ５３上の遊技球の規制板を兼用する補強板５６が、例えばステージ５３における入球口４９とは反対側の端部側、例えば右端側に設けられている。この補強板５６は区画部材５１から略直角に前側へと一体に突出して上下方向に配置されており、上端に例えば入球口４９側への屈曲部５６ａが設けられている。
【００３３】
下部台板５２は、中央表示枠２２における台板３９の下部側の一部を構成する平板状の部材で、図３〜図７に示すように区画部材５１の下縁部に沿ってその前側に配置され、例えば区画部材５１に対して固定ネジにより着脱自在に固定されている。なお、下部台板５２は例えば光透過性を有する合成樹脂製である。
【００３４】
ステージ５３は、左側通路３４から入球口４９に流入した遊技球を転動させて遊技盤５の前側に落下させるためのもので、図３〜図５，図７等に示すように平面視帯板状で且つ正面視略波形に形成されており、例えば区画部材５１の前側で且つ下部台板５２の上側に配置され、区画部材５１に着脱自在に装着されている。このステージ５３は、特別図柄始動手段２６の略直上に配置された緩やかな上向きの凸部５３ａと、この凸部５３ａの左右両側に配置された緩やかな下向きの凹部５３ｂと、これら凹部５３ｂの左右方向外側に傾斜状に配置された傾斜部５３ｃとを一体に備え、その一方（ここでは左側）の傾斜部５３ｃ側を入球口４９に接続する誘導通路５７が一体に設けられている。なお、ステージ５３は例えば光透過性を有する合成樹脂製である。
【００３５】
またステージ５３には、その前縁側に凸部５３ａ、凹部５３ｂ及び傾斜部５３ｃに跨がって遊技球を案内する前縁部５３ｄが上向き突出状に形成されている。また、凸部５３ａには前後方向の略中央に例えば孔状の中央落下口５３ｅが、凹部５３ｂの前縁部５３ｄ側に例えば切り欠き状の側部落下口５３ｆが夫々設けられ、ステージ５３上の遊技球をその各落下口５３ｅ，５３ｆから遊技盤５の前側で下方へと落下させるようになっている。なおステージ５３には、区画部材５１に対して位置決めするための位置決め突起５８、及びネジ止め等により固定するための固定部５９が一体に設けられている。
【００３６】
発光演出手段５４は、図４〜図１０等に示すように、区画部材５１に設けられた発光表示部６１と、この発光表示部６１の下側に配置され且つ区画部材５１の板面に沿う方向に光を照射するＬＥＤ（発光体）６２を備えた１又は複数、例えば２つの下部発光基板６３ａ，６３ｂと、区画部材５１に形成され且つＬＥＤ６２からの光を発光表示部６１に導光して発光させるための導光部６４とを備えている。発光表示部６１は、図６，図８〜図１０に示すように例えば左右方向に並ぶ複数個の装飾図柄６１ａを有している。この装飾図柄６１ａは、例えば図１２に示すように区画部材５１の裏面側に形成されたＶ溝６５等により形成されている。
【００３７】
また区画部材５１には、図７〜図１０等に示すように、例えばその下縁部に沿って細長状の開口部６６が間欠的に複数配置されており、それら開口部６６の上縁部（発光表示部６１側の縁部）に沿って導光部６４が設けられている。開口部６６は、例えば区画部材５１の左右方向略全体にわたって正面視略円弧状に配置されている。導光部６４は、図１２等に示すように、区画部材５１の背面側から例えば後ろ下がりの傾斜状に形成された第１反射面６４ａと、区画部材５１の前面側から例えば後ろ下がりの傾斜状に形成された第２反射面６４ｂと、区画部材５１の板面に略垂直に形成され且つ第１反射面６４ａと第２反射面６４ｂとの端部間を接続する入射面６４ｃとを備えている。第１反射面６４ａと第２反射面６４ｂとは例えば区画部材５１に対して略４５度の角度で互いに平行に形成されている。なお開口部６６は、図４，図１０，図１２等に示すように、区画部材５１の前面側に装着された下部台板５２によって前側を塞がれている。
【００３８】
下部発光基板６３ａ，６３ｂは、例えば可撓性を有するフレキシブル基板で、左右に隣接して配置されている。それら下部発光基板６３ａ，６３ｂは、それぞれ左右方向に長い平面視帯状で、図６，図８〜図１０等に示すように、夫々基板支持手段６７ａ，６７ｂにより導光部６４に沿って背面視略円弧状に支持されている。
【００３９】
下部発光基板６３ａ，６３ｂには、図８〜図１０に示すように前縁側に例えば複数の切欠部６８が間欠的に形成されており、その切欠部６８に隣接する部分が、開口部６６等に対応する突起部６９となっている。開口部６６に対応する突起部６９は、開口部６６内に後側から挿入されて例えばその前側の下部台板５２の背面に当接又は近接している（図９，図１０等）。また下部発光基板６３ａ，６３ｂには、図９，図１０等に示すように、導光部６４に対向する第１面７１ａ側にＬＥＤ（発光体）６２が、その反対側の第２面７１ｂ側に抵抗７２とコネクタ７３とが夫々配置されている。なお、それら抵抗７２とコネクタ７３とが非発光部品の一例である。このように、下部発光基板６３ａ，６３ｂでは発光体とそれ以外の非発光部品とを互いに異なる面に配置している。
【００４０】
ＬＥＤ６２は、各導光部６４に夫々一又は複数個対応するように、下部発光基板６３ａ，６３ｂにおける第１面７１ａの前縁（第１縁部）側、即ち突起部６９側に配置されている。そして、それらＬＥＤ６２の発光部６２ａが、図１２等に示すように導光部６４の入射面６４ｃに例えば若干の隙間を挟んで対向している。また、抵抗７２とコネクタ７３とは、下部発光基板６３ａ，６３ｂにおける第２面７１ｂの後縁（第２縁部）側に配置されている。そして図９，図１０等に示すように、下部発光基板６３ａ，６３ｂの短手方向（第１方向）、即ち前後方向におけるＬＥＤ６２の配置範囲と、同じく前後方向における抵抗７２及びコネクタ７３の配置範囲との間に重なりはなく、また下部発光基板６３ａ，６３ｂの長手方向（第２方向）、即ち左右方向におけるＬＥＤ６２の配置範囲と、同じく左右方向における抵抗７２及びコネクタ７３の配置範囲との間にも重なりはない。
【００４１】
なおコネクタ７３は、各下部発光基板６３ａ，６３ｂの長手方向一端側、例えば左右方向の外側端部近傍に配置されている。また、下部発光基板６３ａ，６３ｂの前後方向幅は遊技盤５の板厚よりも小さく、その後縁部は下側の補強壁部４１の後縁部よりも前側に位置している。
【００４２】
基板支持手段６７ａ，６７ｂは、図８〜図１０等に示すように、下部発光基板６３ａ，６３ｂをその短手方向、即ち前後方向に挿脱自在に支持する挿脱支持手段７４と、下部発光基板６３ａ，６３ｂを例えば所定の曲面形状となるように案内する案内支持手段７５と、下部発光基板６３ａ，６３ｂを挿脱支持手段７４及び案内支持手段７５に支持された状態に保持する基板固定ネジ（保持手段，ネジ部材）７６とを備えている。
【００４３】
挿脱支持手段７４は、下部発光基板６３ａ，６３ｂの長手方向両端部に対応して配置されており、それら端部を前後方向摺動自在に支持するように、例えば補強壁部４１と一体で或いは単独で背面視略コの字形に形成されており、例えば区画部材５１の背面側から後向きに突設されている。挿脱支持手段７４は、区画部材５１からの突出長さが例えば下部発光基板６３ａ，６３ｂの前後幅よりも小さく、下部発光基板６３ａ，６３ｂにおける前部側の一部を支持している。もちろん、挿脱支持手段７４により下部発光基板６３ａ，６３ｂにおける前後方向の全体を支持するようにしてもよい。
【００４４】
案内支持手段７５は、下部発光基板６３ａ，６３ｂの長手方向における両端部を除く１又は複数箇所に、ＬＥＤ６２、抵抗７２及びコネクタ７３の配置位置を避けて例えば切欠部６８に対応して設けられている。各案内支持手段７５は、下部発光基板６３ａ，６３ｂの第１面７１ａ側に略当接する第１案内部７５ａと、同じく第２面７１ｂ側に略当接する第２案内部７５ｂとの少なくとも一方を備え、例えば区画部材５１の背面側から後向きに突設されている。第２案内部７５ｂは例えば補強壁部４１の内面に沿って一体に形成されている。
【００４５】
案内支持手段７５は、図１１等に示すように区画部材５１からの突出長さが例えば下部発光基板６３ａ，６３ｂの前後幅よりも小さく、下部発光基板６３ａ，６３ｂにおける前部側の一部を支持可能となっている。もちろん、案内支持手段７５により下部発光基板６３ａ，６３ｂにおける前後方向の全体を支持可能としてもよい。また、例えば下部台板５２やステージ５３を区画部材５１にネジ止めするためのネジ挿通部５２ａを区画部材５１の背面側から後向きに突設し、これを第１案内部７５ａ又は第２案内部７５ｂとして利用してもよい（図１１（ａ））。また、補強壁部４１の一部を下部発光基板６３ａ，６３ｂの第２面７１ｂに略当接させることにより第２案内部７５ｂとしてもよい（図１１（ｂ））。
【００４６】
基板固定ネジ７６は、例えば区画部材５１の背面側から後向きに突設されたネジ固定部７７に対して後側から装着されている。ネジ固定部７７は、下部発光基板６３ａ，６３ｂの長手方向における中間部の１又は複数箇所、例えば両端部を除く各２箇所に、例えばＬＥＤ６２、抵抗７２及びコネクタ７３の配置位置を避けて第１面７１ａ又は第２面７１ｂに沿って設けられており、その後端部の位置が下部発光基板６３ａ，６３ｂの後縁側と略一致する長さに形成されている。
【００４７】
基板固定ネジ７６は、その頭部７６ａ側に鍔部７６ｂを例えば一体に備えており、ネジ固定部７７にねじ込んだとき、その鍔部７６ｂがネジ固定部７７の外側に張り出して下部発光基板６３ａ，６３ｂの後端部に後側から略当接するようになっている（図１１（ａ），（ｄ））。なお、ネジ固定部７７、又はこれに一体に形成した位置決め部材を、案内支持手段７５の第１案内部７５ａ又は第２案内部７５ｂとして利用してもよい（図１１（ｄ））。
【００４８】
また下部発光基板６３ａ，６３ｂには、第１面７１ａと第２面７１ｂとの両面に配線パターン７８が設けられているが、これら配線パターン７８は、基板の端部及びその近傍等、基板支持手段６７ａ，６７ｂと干渉する位置には配置されていない。
【００４９】
図１２に示すように、下部発光基板６３ａ，６３ｂのＬＥＤ６２の発光部６２ａから照射された光は、入射面６４ｃから導光部６４に入射した後、第１反射面６４ａにより前向きに、第２反射面６４ｂにより略上向きに反射され、更に発光表示部６１の装飾図柄６１ａにより前向きに反射される。これにより、遊技者からは透明な区画部材５１上に装飾図柄６１ａが明るく浮かび上がって見える。また、複数のＬＥＤ６２の一部を点灯させることで装飾図柄６１ａの一部を発光させることができ、またＬＥＤ６２を例えば左右方向の一方側から他方側に向けて順次点灯させることにより、装飾図柄６１ａの発光位置を順次移動させることも可能である。
【００５０】
また中央表示枠（所定部材）２２の上部側には、図１３〜図１６等に示すように、中央表示枠２２の内側を照明するＬＥＤ８１を備えた１又は複数、例えば２つの上部発光基板８２ａ，８２ｂが装着されている。上部発光基板８２ａ，８２ｂは、例えば可撓性を有するフレキシブル基板で、例えば左右に隣接して配置されている。それら上部発光基板８２ａ，８２ｂは、それぞれ左右方向に長い平面視帯状で、夫々基板支持手段８３ａ，８３ｂにより、前縁側を台板３９の背面側に略当接させた状態で補強壁部（壁面）４１の内面側で背面視略円弧状に支持されている。
【００５１】
上部発光基板８２ａ，８２ｂには、ＬＥＤ８１、コネクタ８５等の各種部品及びそれらを接続する配線パターン８５ａが設けられているが、それらは全て補強壁部４１とは反対側の第１面８４ａ側に配置され、補強壁部４１側の第２面８４ｂには何ら配置されていない。ＬＥＤ８１は、上部発光基板８２ａ，８２ｂの第１面８４ａにおける長手方向の複数箇所で且つ短手方向の略中央に配置され、コネクタ８５は、例えばそれら複数のＬＥＤ８１よりも上部発光基板８２ａ，８２ｂの長手方向端部側に配置されている。本実施形態では、上部発光基板８２ａ，８２ｂの何れについてもその右端側にコネクタ８５が配置されている。
【００５２】
基板支持手段８３ａ，８３ｂは、上部発光基板８２ａ，８２ｂをその短手方向、即ち前後方向に挿脱自在に支持する挿脱支持手段８６と、上部発光基板８２ａ，８２ｂを例えば所定の曲面形状となるように案内する案内支持手段８７と、上部発光基板８２ａ，８２ｂを挿脱支持手段８６及び案内支持手段８７に支持された状態に保持する基板固定ネジ（保持手段，ネジ部材）８８とを備えている。
【００５３】
挿脱支持手段（支持部材）８６は、上部発光基板８２ａ，８２ｂの長手方向両端部に対応して配置されており、それら端部を前後方向摺動自在に支持するように、例えば補強壁部４１と一体で或いは単独で背面視略コの字形に形成されており、補強壁部４１の内面側に沿って台板３９の背面側から後向きに突設されている。挿脱支持手段８６は、台板３９からの突出長さが例えば上部発光基板８２ａ，８２ｂの前後幅よりも小さく、上部発光基板８２ａ，８２ｂにおける前部側の一部を支持している。
【００５４】
案内支持手段８７は、上部発光基板８２ａ，８２ｂの長手方向における中間部の１又は複数箇所に設けられており、図１５〜図１７等に示すように、上部発光基板８２ａ，８２ｂの第１面８４ａ側に略当接する第１案内部８７ａと、同じく第２面８４ｂ側に略当接する第２案内部８７ｂとの少なくとも一方を備え、例えば台板３９の背面側から後向きに突設されている。第１案内部８７ａは、例えば第１面８４ａの前縁側に沿う板状に形成され、また第２案内部（支持部材）８７ｂは、例えば補強壁部４１の内面側に突設された前後方向の突条で構成されている。なお、案内支持手段８７は、台板３９からの突出長さが例えば上部発光基板８２ａ，８２ｂの前後幅よりも小さく、上部発光基板８２ａ，８２ｂにおける前部側の一部を支持可能となっている。
【００５５】
これら挿脱支持手段８６及び案内支持手段８７により、上部発光基板８２ａ，８２ｂは、図１５，図１６に示すように例えばその長手方向の全体にわたって補強壁部４１との間に所定の隙間を設けた状態で支持されている。
【００５６】
基板固定ネジ８８は、例えば台板３９の背面側から後向きに突設されたネジ固定部８９に対して後側から装着されている。ネジ固定部８９は、例えば上部発光基板８２ａ，８２ｂの長手方向両端側に対応してその第１面８４ａ側に配置され、例えば挿脱支持手段８６と一体に形成されている。ネジ固定部８９は、台板３９の背面側からの突出量が挿脱支持手段８６よりも大きく、その後端部の位置が上部発光基板８２ａ，８２ｂの後縁側と略一致する長さに形成されている。これにより、挿脱支持手段８６の後端側に、ネジ固定部８９と補強壁部４１とに挟まれた凹状のケーブル案内手段９１が形成されている（図１７（ａ））。
【００５７】
基板固定ネジ８８は、その頭部８８ａ側に鍔部８８ｂを例えば一体に備えており、ネジ固定部８９にねじ込んだとき、その鍔部８８ｂがネジ固定部８９の外側に張り出し、上部発光基板８２ａ，８２ｂの後端部に後側から略当接してその抜けを阻止すると共に、挿脱支持手段８６の後端側のケーブル案内手段９１を後側から略閉鎖することによりそのケーブル案内手段９１内にケーブル９２ａを保持するようになっている（図１７（ａ））。
【００５８】
本実施形態では、上部発光基板８２ａ，８２ｂのコネクタ８５から引き出された各ケーブル９２ａ，９２ｂは、何れも中央表示枠２２に沿って例えば中央表示枠２２の右側の基板３８に接続され（図６）、ここから所定の中継基板等を介して演出制御基板に接続されている。また、左側の上部発光基板８２ａのコネクタ８５から引き出されたケーブル９２ａは、図１７〜図１９に示すように、上部発光基板８２ａの長手方向両端側のケーブル案内手段９１を経てその上部発光基板８２ｂにおける第２面８４ｂ側、即ち上部発光基板８２ｂと補強壁部４１との隙間に配設されている。
【００５９】
また、上部発光基板８２ｂにおける第２面８４ｂ側に配設されるケーブル９２ａは、第２案内部８７ｂによって所定位置、即ちその第２面８４ｂ側における後縁側に案内されている（図１７（ｂ））。即ち、第２案内部８７ｂの後端側もケーブル案内手段９１を構成している。
【００６０】
なお、上部発光基板８２ａ，８２ｂには、上述したように第１面８４ａ側にのみ配線パターン８５ａが設けられているが、この配線パターン８５ａは、基板の端部及びその近傍等、基板支持手段８３ａ，８３ｂと干渉する位置には配置されていない。
【００６１】
図２０及び図２１は本発明の第２の実施形態を例示し、第１の実施形態を一部変更して、基板支持手段８３ａ，８３ｂを構成する基板固定ネジ８８による固定位置を、上部発光基板８２ａ，８２ｂにおける中間部とした例を示している。
【００６２】
図２０，図２１に示すように、本実施形態では、上部発光基板８２ａ，８２ｂに対応するネジ固定部８９が、上部発光基板８２ａ，８２ｂの両端部ではなく中間部の各２箇所に配置されている。これらネジ固定部８９は、例えば案内支持手段８７を構成する第２案内部８７ｂに対応する位置に配置されており、第２案内部８７ｂとネジ固定部８９とで上部発光基板８２ａ，８２ｂを両面側から挟み込むように支持している。
【００６３】
また、ネジ固定部８９は、台板３９の背面側からの突出量が第２案内部８７ｂよりも大きく、その後端部の位置が上部発光基板８２ａ，８２ｂの後縁側と略一致する長さに形成されている（図２１（ｃ））。これにより、第２案内部８７ｂの後端側に、ネジ固定部８９と補強壁部４１とに挟まれた凹状のケーブル案内手段９１が形成されている。
【００６４】
そして、このネジ固定部８９に基板固定ネジ８８をねじ込んだとき、その鍔部８８ｂが上部発光基板８２ａ，８２ｂの後端部に後側から略当接してその抜けを阻止すると共に、第２案内部８７ｂの後端側のケーブル案内手段９１を後側から略閉鎖することによりそのケーブル案内手段９１内にケーブル９２ａを保持するようになっている。また、上部発光基板８２ａ，８２ｂの両端部を支持する挿脱支持手段８６は、例えばその補強壁部４１側の一部が切り欠かれてケーブル案内手段９１が形成されている（図２１（ａ））。
【００６５】
図２２は本発明の第３の実施形態を例示し、第１の実施形態を一部変更して、上部発光基板８２ａ，８２ｂの後縁側に切欠部９３を設け、基板固定ネジ８８による固定位置をこの切欠部９３に対応させた例を示している。このように基板８２ａ，８２ｂに切欠部９３を設け、その切欠部９３における基板８２ａ，８２ｂの前後幅に対応してネジ固定部８９を形成し、基板固定ネジ８８により切欠部９３を支持することにより、基板固定ネジ８８の頭部８８ａの位置を前側に寄せることができ、例えばその後側のスペースを有効に利用することができる。
【００６６】
以上、本発明の実施形態について詳述したが、本発明はこれらの実施形態に限定されるものではなく、本発明の趣旨を逸脱しない範囲で種々の変更が可能である。例えば、実施形態では基板固定ネジ７６，８８の頭部７６ａ，８８ａ側に鍔部７６ｂ，８８ｂを一体に設けた例を示したが、鍔部７６ｂ，８８ｂを着脱自在のワッシャにより構成してもよい。また、実施形態では挿脱支持手段により挿脱自在に支持すると共に基板固定ネジ（保持手段）により保持する対象としての基板を全てフレキシブル基板としたが、通常のリジッド基板をそれら挿脱支持手段及び基板固定ネジ（保持手段）により支持することも可能である。また、基板固定ネジにより基板の両端部及び一又は複数の中間部を支持してもよい。
【００６７】
発光基板に装着されたＬＥＤ等の発光体による光の照射方向は任意であり、例えば基板の板面に略平行な方向に光を照射するようにＬＥＤを配置してもよい。また、挿脱支持手段及び基板固定ネジ（保持手段）により支持するフレキシブル基板等は発光基板でなくてもよい。また、実施形態で例示したフレキシブル基板よりなる発光基板は全て遊技盤５の盤面に略垂直となるように配置したが、これに限られるものではなく、例えばフレキシブル基板を平面視略円弧状となるように配置してもよい。
【００６８】
また本発明は、パチンコ機に限らず、アレンジボール機、雀球遊技機、スロットマシン等の各種遊技機において同様に実施することが可能である。
【符号の説明】
【００６９】
４１    補強壁部（壁面）
８２ａ，８２ｂ  上部発光基板
８３ａ，８３ｂ  基板支持手段
８５ａ  配線パターン
８６    挿脱支持手段（支持部材）
８７    案内支持手段
８７ｂ  第２案内部（支持部材）
８８    基板固定ネジ（ネジ部材，保持手段）
８８ａ  頭部
８８ｂ  鍔部
８９    ネジ固定部
９１    ケーブル案内手段
９２ａ  ケーブル
【図１】
0005973010.tif 000002
【図２】
0005973010.tif 000003
【図３】
0005973010.tif 000004
【図４】
0005973010.tif 000005
【図５】
0005973010.tif 000006
【図６】
0005973010.tif 000007
【図７】
0005973010.tif 000008
【図８】
0005973010.tif 000009
【図９】
0005973010.tif 000010
【図１０】
0005973010.tif 000011
【図１１】
0005973010.tif 000012
【図１２】
0005973010.tif 000013
【図１３】
0005973010.tif 000014
【図１４】
0005973010.tif 000015
【図１５】
0005973010.tif 000016
【図１６】
0005973010.tif 000017
【図１７】
0005973010.tif 000018
【図１８】
0005973010.tif 000019
【図１９】
0005973010.tif 000020
【図２０】
0005973010.tif 000021
【図２１】
0005973010.tif 000022
【図２２】
0005973010.tif 000023